(57)【要約】      （修正有）【課題】従来の銀行の個人口座は、入口出口ともに一重で、暗唱番号か、市販の口座のフタ、個人的なカギによってセキュリティとしていた。二重開閉式ドアにすることにより、口座のセキュリティの向上を提供する。【解決手段】銀行個人口座入口、出口ともに二重開閉式で、内側の入口、出口にロックをかけ、各々銀行内システム部により、条件づけを加えることにより、他人の個人ネットバンク振込（出金）指示、法人ネットバンク振込（出金）指示を阻止する。本人のネットバンク指示のみ有効ということにする。【選択図】図１
2020009394.tif 000002
【特許請求の範囲】
【請求項１】
銀行口座で入口出口ともに二重式開閉ドア、ロックつきで、ロックに条件がつけ加えることができるセキュリティ。法人口座向け、個人口座向け両方。
【発明の詳細な説明】
【技術分野】
【０００１】本発明は、銀行ネットバンクなどの影響、侵害を阻止する二重ドア式口座開設についてである。
【背景技術】
【０００２】従来は、口座入口、出口ともに、暗唱番号や口座のフタや電気屋に売っている個人用口座用のカギなどによりセキュリティを保持している。
【発明の概要】
【発明が解決しようとする課題】
【０００３】インターネットバンキング（個人用）によって、普通貯金口座などのセキュリティが確保できていない。暗唱番号などは、スマホによるのぞき見や、その他知られてしまうと、カギがかからなくなってしまう。電気屋の個人用のカギも手の内（仕組み）がわかってしまったり、どのカギをかけているかわかってしまったらカギをかけたことにならない。又、口座のフタなども、仕組みを知ってしまったら外されてしまう。
このように、いつ他人に侵害されるかわからない状況下では、安心して銀行に貯金しようという気にならない。
カギをかけるというよりも、外部の不要なアクセスをとり除くという視点に立ったセキュリティが課題となる。
【課題を解決するための手段】
【０００４】銀行口座自体の仕組みをまず、二重ドア式にかえる。出口も入口も二重ドアにする。外側の入口ドアが開いて入金したらすぐ閉まり、閉まってから、次のドアが開いて全て入金したら閉まるという形式である。出口が二重になっている理由は、外側の出口が、万が一ネットバンクアクセスにより、口座に穴があいたとしても、二重であれば、内側の出口のドアを傷つけることは難しいし、時間がかかるから口座内貯金を守ることができるからである。
口座ドアの開閉は、外側ドアが閉まってから内側ドアが開いてというように同時に開くということはない。入口、出口のドアには、ロックがあり、ロックに条件がついている。条件を満たさないアクセスは、ドアが開かないことになっている。
入口ドアが二重になっていることにより、一度振込んだ現金は、振込取消ができないということになる。ドアが閉まったら、その指令に対する作業はおしまいということになっている。普通貯金口座のつくりが入金したものは他人のその口座の中の現金を引出すことができるようになっている。
だが、この口座については、取消ができない構造なので、振込んだ人間がうけとった他人の口座内の現金を引出せるということはない。
又、ロックは、入口出口ともに内側のドアに存在し、外部ドアがこわされても、もう一つドアがあり、内側のドアの方が条件が厳しく作成されている。
銀行内のパソコンのシステムで、ドアのロックの条件を制限する。
とくに重要なのは、ネットバンク振込のアクセスをうけつけるか（許可するか否か）である。
条件とは、銀行内の通常業務である。たとえば、ネットバンク振込（入金）やネットバンク振込（出金）、ＡＴＭの預け入れ、ＡＴＭ振込、ＡＴＭ出金、自動引落、移動、窓口振込、窓口引出、窓口預け入れなどである。
移動とは、自分の口座内から定期貯金、貯蓄貯金に対する移動ということである。このようなことをうけつけるなら○、うけつけないならば×として、登録する。ネットバンク振込（入金）とネットバンク振込（出金）については、ネットバンク登録のないものが、ネットバンク振込（出金）をすることはないので、登録のないものはネットバンク振込（出金）は×ということになる。
【発明の効果】
【０００５】二重開閉式ドアにすることにより、口座のセキュリティの向上が考えうる。
たとえば、入口ドアでは、外側入口ドアがあいてしまらなければ、内側ドアがあくことはない。このように同時に開くことはないことにより、口座入口から、現金をむりやりとりだすといった出金のやり方はできなくなる。
又、出口については、外側出口にネットアクセスにより、穴をあけさせられてドアがこわれた場合でも、内側にもう１つ出口ドアが存在するので、外側出口が、こわれて穴があいても、中の現金がでていくことはない。
今迄の様に、ネットバンクアクセスにより、口座に出金指示を加えても、内側の入口出口に個有の条件がついている。このことにより、条件を満たさない出金はできないということになる。又、出口のロックの条件として、全ての振込（出金）を一切おことわりにすれば、本人が銀行窓口に願い出ない限り、出金することはないことになる。
法人ネットの振込（出金）についても、あえて、法人ネット振込（出金）を×にしておけば、法人ネットアクセスによるいたずら出金はできないことになる。
個人ネット振込（出金）も、登録していない個人口座から出金するはずがないのだから個人ネット振込（出金）×として条件づけすれば、条件をつけなかったときは、他人のネットバンク指示により、出金することがあったとしても、このような被害を阻止することができる。つまり、条件づけとして、本人のネットバンク振込（出金）指示は○だが、一般的個人ネットバンク指示振込（出金）は×ということにすれば、他人のいたずらを防止できるのではないかということである。
又、出金の金額制限を条件に加えることができる。
【図面の簡単な説明】
【０００６】
【図１】本発明の実施形態を示す銀行口座断面図
【発明を実施するための形態】
【０００７】以下、本発明の実施形態を図に基づき説明する。
【０００８】図に於いては、入口ドア▲１▼と出口ドア▲４▼は、銀行一般口座と同様である。▲２▼と▲３▼は、二重式であることから、ロックに条件をつけて開閉式ドアとして設置してある。
入口ドア▲１▼と▲２▼は、両方が同時にひらくことはない。出口についても、どちらか一方がしまってからでなければ、もう一方があくことはない。
逆に、出口▲４▼がこわれたとしても、▲４▼があかないのに▲３▼があくということもない。
▲２▼、▲３▼には、条件が個別についている。
たとえば、一般個人普通貯金だとして条件づけとして、ＡＴＭ預入○、窓口預入○個人ネット振込（入金）○個人ネット振込（出金）×法人ネット振込（入金）○法人ネット振込（出金）×と入口の▲２▼のロックにかきこみ、フィルタリングする。▲３▼のロックの条件として、ＡＴＭ引出○、ＡＴＭ振込（出金）○、自動引落○、移動（銀行内）○、窓口引出○、窓口振込（出金）○、個人ネット振込（出金）×、法人ネット振込（出金）×、というふうに書いてフィルタリングする。
因みに振込とりけし又は、入口からの現金不正取出しは、個人ネット振込（出金）×にふくまれているが、個人ネット振込（入金）とりけし×としても条件づけできる。一般振込（入金）とりけし×も加えてもよい。（重要）
【０００９】個人ネットバンク登録の人としたら、入口▲２▼の条件づけとして、ＡＴＭ預入○、個人ネットバンク振込（入金）○個人ネットバンク振込（出金）×法人ネット振込（出金）×、一般振込（入金）とりけし×、ＡＴＭ預入○、窓口預入○とかいてフィルタリングする。出口▲３▼の条件づけとして、個人ネットバンク振込（出金）×、法人ネットバンク振込（出金）×、本人個人ネットバンク振込（出金）○、自動引落○、移動○、窓口引出○窓口振込○、振込全般おことわり  つまり、全ての振込×、とかいて、フィルタリングする。
【符号の説明】
【００１０】とくになし
【図１】
2020009394.tif 000003